(57)【要約】【課題】製品発売前または製品発売後における製品の需要予測を容易かつ的確に行うことができ、その需要予測に応じた製品の生産量を容易かつ的確に算定することが可能な生産量算定方法，生産量算定装置，生産量算定システム，生産量算定プログラムおよび記録媒体を提供することを目的とする。【解決手段】製品の需要予測と、その需要予測に応じた製品の生産量の算定とをコンピュータ１００を用いて行う生産量算定方法であって、製品の発売前の市場情報，類似製品または類似製品群の発売前の市場情報および発売後の販売実績情報に応じて製品の需要予測を行う段階と、製品の需要予測結果，類似製品または類似製品群の需給実績情報に応じて需給調整情報を作成する段階と、需給調整情報に応じて製品の生産量を算定する段階とを有することにより上記課題を解決する。【選択図】　　　　　図１
2004102357.tif 000002
【特許請求の範囲】
【請求項１】
コンピュータを用いて、製品の需要予測を行い、前記需要予測に応じて製品の生産量を算定する生産量算定方法であって、
発売前の製品に関する市場情報を取得する市場情報取得段階と、
前記製品に類似する類似製品または類似製品群の発売前の市場情報および発売後の販売実績情報を取得し、前記製品の発売前の市場情報，前記類似製品または類似製品群の発売前の市場情報および発売後の販売実績情報に応じて前記製品の需要予測を行う需要予測段階と、
前記製品の需要予測結果，前記類似製品または類似製品群の需給実績情報に応じて需給調整情報を作成する需給調整情報作成段階と、
前記需給調整情報に応じて前記製品の生産量を算定する生産量算定段階と
を有することを特徴とする生産量算定方法。
【請求項２】
前記発売前の製品に関する市場情報は、前記製品の評価情報および予約実績情報を含むことを特徴とする請求項１記載の生産量算定方法。
【請求項３】
前記需要予測段階は、前記類似製品または類似製品群の発売前の評価情報および予約実績情報と、前記類似製品または類似製品群の発売後の販売実績情報とを取得する段階と、
前記類似製品または類似製品群の前記評価情報および予約実績情報と前記販売実績情報との関係に応じて前記製品の評価情報および予約実績情報から前記製品の需要予測を行う段階と
を有することを特徴とする請求項２記載の生産量算定方法。
【請求項４】
前記類似製品または類似製品群の需給実績情報は、前記類似製品または類似製品群の販売実績情報，在庫実績情報および出荷実績情報を含むことを特徴とする請求項１記載の生産量算定方法。
【請求項５】
前記需給調整情報作成段階は、前記類似製品または類似製品群の販売実績情報，在庫実績情報および出荷実績情報に応じて、前記需要予測結果に含まれる前記製品の販売予測値から前記製品の販売予測情報，在庫予測情報および出荷予測情報を前記需給調整情報として作成することを特徴とする請求項４記載の生産量算定方法。
【請求項６】
前記需給調整情報作成段階は、ユーザにより選択された前記類似製品または類似製品群の販売実績情報，在庫実績情報および出荷実績情報を取得して前記ユーザに提示する段階と、
前記類似製品または類似製品群の販売実績情報，在庫実績情報および出荷実績情報をユーザからの指示により修正する段階と、
前記類似製品または類似製品群の販売実績情報，在庫実績情報および出荷実績情報に応じて、前記需要予測結果に含まれる前記製品の販売予測値から前記製品の販売予測情報，在庫予測情報および出荷予測情報を前記需給調整情報として作成する段階と
を有することを特徴とする請求項５記載の生産量算定方法。
【請求項７】
コンピュータを用いて、製品の需要予測を行い、前記需要予測に応じて製品の生産量を算定する生産量算定方法であって、
発売後の製品に関する市場情報を取得する市場情報取得段階と、
前記製品に類似する類似製品または類似製品群の販売実績情報を取得し、前記製品の発売後の市場情報，前記類似製品または類似製品群の販売実績情報に応じて前記製品の需要予測を行う需要予測段階と、
前記製品の需要予測結果，前記類似製品または類似製品群の需給実績情報に応じて需給調整情報を作成する需給調整情報作成段階と、
前記需給調整情報に応じて前記製品の生産量を算定する生産量算定段階と
を有することを特徴とする生産量算定方法。
【請求項８】
前記発売後の製品に関する市場情報は、一部の販売店かつ第１の期間における前記製品の販売実績情報を含むことを特徴とする請求項７記載の生産量算定方法。
【請求項９】
前記需要予測段階は、前記類似製品または類似製品群の販売実績情報を取得する段階と、
前記類似製品または類似製品群の前記販売実績情報に応じて、前記一部の販売店かつ第１の期間における前記製品の販売実績情報から全部の販売店かつ第１の期間より長い第２の期間における前記製品の需要予測を行う段階と
を有することを特徴とする請求項８記載の生産量算定方法。
【請求項１０】
前記類似製品または類似製品群の販売実績情報は、前記一部の販売店かつ第１の期間における前記類似製品または類似製品群の販売実績情報と、全部の販売店かつ第１の期間より長い第２の期間における前記類似製品または類似製品群の販売実績情報との関係を表す係数を含み、
前記係数を用いて前記一部の販売店かつ第１の期間における前記製品の販売実績情報から全部の販売店かつ第１の期間より長い第２の期間における前記製品の需要予測を行うことを特徴とする請求項９記載の生産量算定方法。
【請求項１１】
前記類似製品または類似製品群の需給実績情報は、前記類似製品または類似製品群の販売実績情報，在庫実績情報および出荷実績情報を含むことを特徴とする請求項７記載の生産量算定方法。
【請求項１２】
前記需給調整情報作成段階は、前記類似製品または類似製品群の販売実績情報，在庫実績情報および出荷実績情報に応じて、前記需要予測結果に含まれる前記製品の販売予測値から前記製品の販売予測情報，在庫予測情報および出荷予測情報を前記需給調整情報として作成することを特徴とする請求項１１記載の生産量算定方法。
【請求項１３】
前記需給調整情報作成段階は、ユーザにより選択された前記類似製品または類似製品群の販売実績情報，在庫実績情報および出荷実績情報を取得して前記ユーザに提示する段階と、
前記類似製品または類似製品群の販売実績情報，在庫実績情報および出荷実績情報をユーザからの指示により修正する段階と、
前記類似製品または類似製品群の販売実績情報，在庫実績情報および出荷実績情報に応じて、前記需要予測結果に含まれる前記製品の販売予測値から前記製品の販売予測情報，在庫予測情報および出荷予測情報を前記需給調整情報として作成する段階と
を有することを特徴とする請求項１２記載の生産量算定方法。
【請求項１４】
製品の需要予測を行い、前記需要予測に応じて製品の生産量を算定する生産量算定装置であって、
発売前の製品に関する市場情報を取得する市場情報取得手段と、
前記製品に類似する類似製品または類似製品群の発売前の市場情報，発売後の販売実績情報および需給実績情報を格納する類似製品情報格納手段と、
前記類似製品情報格納手段から前記類似製品または類似製品群の発売前の市場情報および発売後の販売実績情報を取得し、前記製品の発売前の市場情報，前記類似製品または類似製品群の発売前の市場情報および発売後の販売実績情報に応じて前記製品の需要予測を行う需要予測手段と、
前記類似製品情報格納手段から前記類似製品または類似製品群の需給実績情報を取得し、前記製品の需要予測結果，前記類似製品または類似製品群の需給実績情報に応じて需給調整情報を作成する需給調整情報作成手段と、
前記需給調整情報に応じて前記製品の生産量を算定する生産量算定手段と
を有することを特徴とする生産量算定装置。
【請求項１５】
製品の需要予測を行い、前記需要予測に応じて製品の生産量を算定する生産量算定装置であって、
発売後の製品に関する市場情報を取得する市場情報取得手段と、
前記製品に類似する類似製品または類似製品群の販売実績情報および需給実績情報を格納する類似製品情報格納手段と、
前記類似製品情報格納手段から前記類似製品または類似製品群の販売実績情報を取得し、前記製品の発売後の市場情報，前記類似製品または類似製品群の販売実績情報に応じて前記製品の需要予測を行う需要予測手段と、
前記製品の需要予測結果，前記類似製品または類似製品群の需給実績情報に応じて需給調整情報を作成する需給調整情報作成手段と、
前記需給調整情報に応じて前記製品の生産量を算定する生産量算定手段と
を有することを特徴とする生産量算定装置。
【請求項１６】
１つ以上の販売店から製品に関する市場情報を収集する市場情報収集手段と、前記市場情報を用いて製品の需要予測を行い、前記需要予測に応じて製品の生産量を算定する生産量算定手段とを有する生産量算定システムであって、
前記生産量算定手段は、発売前の製品に関する市場情報を前記市場情報収集手段から取得する市場情報取得手段と、
前記製品に類似する類似製品または類似製品群の発売前の市場情報，発売後の販売実績情報および需給実績情報を格納する類似製品情報格納手段と、
前記類似製品情報格納手段から前記類似製品または類似製品群の発売前の市場情報および発売後の販売実績情報を取得し、前記製品の発売前の市場情報，前記類似製品または類似製品群の発売前の市場情報および発売後の販売実績情報に応じて前記製品の需要予測を行う需要予測手段と、
前記類似製品情報格納手段から前記類似製品または類似製品群の需給実績情報を取得し、前記製品の需要予測結果，前記類似製品または類似製品群の需給実績情報に応じて需給調整情報を作成する需給調整情報作成手段と、
前記需給調整情報に応じて前記製品の生産量を算定する生産量算定手段と
を有することを特徴とする生産量算定システム。
【請求項１７】
１つ以上の販売店から製品に関する市場情報を収集する市場情報収集手段と、前記市場情報を用いて製品の需要予測を行い、前記需要予測に応じて製品の生産量を算定する生産量算定手段とを有する生産量算定システムであって、
前記生産量算定手段は、発売後の製品に関する市場情報を前記市場情報収集手段から取得する市場情報取得手段と、
前記製品に類似する類似製品または類似製品群の販売実績情報および需給実績情報を格納する類似製品情報格納手段と、
前記類似製品情報格納手段から前記類似製品または類似製品群の販売実績情報を取得し、前記製品の発売後の市場情報，前記類似製品または類似製品群の販売実績情報に応じて前記製品の需要予測を行う需要予測手段と、
前記製品の需要予測結果，前記類似製品または類似製品群の需給実績情報に応じて需給調整情報を作成する需給調整情報作成手段と、
前記需給調整情報に応じて前記製品の生産量を算定する生産量算定手段と
を有することを特徴とする生産量算定装置。
【請求項１８】
コンピュータに、
発売前の製品に関する市場情報を取得する市場情報取得手順と、
前記製品に類似する類似製品または類似製品群の発売前の市場情報および発売後の販売実績情報を取得し、前記製品の発売前の市場情報，前記類似製品または類似製品群の発売前の市場情報および発売後の販売実績情報に応じて前記製品の需要予測を行う需要予測手順と、
前記製品の需要予測結果，前記類似製品または類似製品群の需給実績情報に応じて需給調整情報を作成する需給調整情報作成手順と、
前記需給調整情報に応じて前記製品の生産量を算定する生産量算定手順と
を実行させるための生産量算定プログラム。
【請求項１９】
コンピュータに、
発売後の製品に関する市場情報を取得する市場情報取得手順と、
前記製品に類似する類似製品または類似製品群の販売実績情報を取得し、前記製品の発売後の市場情報，前記類似製品または類似製品群の販売実績情報に応じて前記製品の需要予測を行う需要予測手順と、
前記製品の需要予測結果，前記類似製品または類似製品群の需給実績情報に応じて需給調整情報を作成する需給調整情報作成手順と、
前記需給調整情報に応じて前記製品の生産量を算定する生産量算定手順と
を実行させるための生産量算定プログラム。
【請求項２０】
コンピュータに、
発売前の製品に関する市場情報を取得する市場情報取得手順と、
前記製品に類似する類似製品または類似製品群の発売前の市場情報および発売後の販売実績情報を取得し、前記製品の発売前の市場情報，前記類似製品または類似製品群の発売前の市場情報および発売後の販売実績情報に応じて前記製品の需要予測を行う需要予測手順と、
前記製品の需要予測結果，前記類似製品または類似製品群の需給実績情報に応じて需給調整情報を作成する需給調整情報作成手順と、
前記需給調整情報に応じて前記製品の生産量を算定する生産量算定手順と
を実行させるための生産量算定プログラムを記録したコンピュータ読み取り可能な記録媒体。
【請求項２１】
コンピュータに、
発売後の製品に関する市場情報を取得する市場情報取得手順と、
前記製品に類似する類似製品または類似製品群の販売実績情報を取得し、前記製品の発売後の市場情報，前記類似製品または類似製品群の販売実績情報に応じて前記製品の需要予測を行う需要予測手順と、
前記製品の需要予測結果，前記類似製品または類似製品群の需給実績情報に応じて需給調整情報を作成する需給調整情報作成手順と、
前記需給調整情報に応じて前記製品の生産量を算定する生産量算定手順と
を実行させるための生産量算定プログラムを記録したコンピュータ読み取り可能な記録媒体。
【発明の詳細な説明】
【０００１】
【発明の属する技術分野】
本発明は、生産量算定方法，生産量算定装置，生産量算定システム，生産量算定プログラムおよび記録媒体に係り、特に製品の需要予測を行い、その需要予測に応じて製品の生産量を算定する生産量算定方法，生産量算定装置，生産量算定システム，生産量算定プログラムおよび記録媒体に関する。
【０００２】
【従来の技術】
例えばメーカは、製品開発および販売施策を企画・立案した時点の販売計画に基づいて生産計画を立案・実行しつつ、市場の状況に応じて販売計画や生産計画を適宜修正していくのが一般的である。
【０００３】
しかし、流行やトレンドに左右されやすいファッション性の高い製品（例えば化粧品など）は、店頭での販売状況やメーカーからの出荷状況を予測することが難しいという特徴を有する。したがって、ファッション性の高い製品は販売計画や生産計画通りに推移することが少なかった。
【０００４】
また、ファッション性の高い製品は、売れる期間を外れると急速に需要が縮小することが多いという特徴を有する。したがって、販売量が当初の販売計画より著しく少ない場合、ファッション性の高い製品は長期に渡り解消し難い過剰在庫となって資産効率を圧迫することがあった。さらに、販売量が当初の販売計画より著しく多い場合、ファッション性の高い製品は売れる期間に欠品が発生し、甚大な販売機会損失となることがあった。
【０００５】
したがって、ファッション性の高い製品を生産するメーカは、製品発売後に需要を見極めても生産計画の修正が間に合わないことも多く、製品発売前に需要を見極めて生産計画を修正することが求められていた。
【０００６】
【発明が解決しようとする課題】
しかしながら、ファッション性の高い製品の需要を製品発売前に見極めることは非常に難しいという問題があった。また、ファッション性の高い製品の需要予測は属人的な業務であって、必要な市場情報の確保，販売および生産の修正計画の立案作業が個々の担当者のスキルやノウハウに依存した状態であるという問題があった。
【０００７】
したがって、ファッション性の高い製品の需要予測に関する業務のノウハウは一部の担当者の属人的なスキルやノウハウとして存在するため、新しい担当者への引継ぎが難しいという問題があった。
【０００８】
本発明は、上記の点に鑑みなされたもので、製品発売前または製品発売後における製品の需要予測を容易かつ的確に行うことができ、その需要予測に応じた製品の生産量を容易かつ的確に算定することが可能な生産量算定方法，生産量算定装置，生産量算定システム，生産量算定プログラムおよび記録媒体を提供することを目的とする。
【０００９】
【課題を解決するための手段】
そこで、上記課題を解決するため、本発明は、コンピュータを用いて、製品の需要予測を行い、前記需要予測に応じて製品の生産量を算定する生産量算定方法であって、発売前の製品に関する市場情報を取得する市場情報取得段階と、前記製品に類似する類似製品または類似製品群の発売前の市場情報および発売後の販売実績情報を取得し、前記製品の発売前の市場情報，前記類似製品または類似製品群の発売前の市場情報および発売後の販売実績情報に応じて前記製品の需要予測を行う需要予測段階と、前記製品の需要予測結果，前記類似製品または類似製品群の需給実績情報に応じて需給調整情報を作成する需給調整情報作成段階と、前記需給調整情報に応じて前記製品の生産量を算定する生産量算定段階とを有することを特徴とする。
【００１０】
前記発売前の製品に関する市場情報は、前記製品の評価情報および予約実績情報を含んでもよい。
【００１１】
前記需要予測段階は、前記類似製品または類似製品群の発売前の評価情報および予約実績情報と、前記類似製品または類似製品群の発売後の販売実績情報とを取得する段階と、前記類似製品または類似製品群の前記評価情報および予約実績情報と前記販売実績情報との関係に応じて前記製品の評価情報および予約実績情報から前記製品の需要予測を行う段階とを有してもよい。
【００１２】
前記類似製品または類似製品群の需給実績情報は、前記類似製品または類似製品群の販売実績情報，在庫実績情報および出荷実績情報を含んでもよい。
【００１３】
前記需給調整情報作成段階は、前記類似製品または類似製品群の販売実績情報，在庫実績情報および出荷実績情報に応じて、前記需要予測結果に含まれる前記製品の販売予測値から前記製品の販売予測情報，在庫予測情報および出荷予測情報を前記需給調整情報として作成してもよい。
【００１４】
前記需給調整情報作成段階は、ユーザにより選択された前記類似製品または類似製品群の販売実績情報，在庫実績情報および出荷実績情報を取得して前記ユーザに提示する段階と、前記類似製品または類似製品群の販売実績情報，在庫実績情報および出荷実績情報をユーザからの指示により修正する段階と、前記類似製品または類似製品群の販売実績情報，在庫実績情報および出荷実績情報に応じて、前記需要予測結果に含まれる前記製品の販売予測値から前記製品の販売予測情報，在庫予測情報および出荷予測情報を前記需給調整情報として作成する段階とを有してもよい。
【００１５】
また、上記課題を解決するため、本発明は、コンピュータを用いて、製品の需要予測を行い、前記需要予測に応じて製品の生産量を算定する生産量算定方法であって、発売後の製品に関する市場情報を取得する市場情報取得段階と、前記製品に類似する類似製品または類似製品群の販売実績情報を取得し、前記製品の発売後の市場情報，前記類似製品または類似製品群の販売実績情報に応じて前記製品の需要予測を行う需要予測段階と、前記製品の需要予測結果，前記類似製品または類似製品群の需給実績情報に応じて需給調整情報を作成する需給調整情報作成段階と、前記需給調整情報に応じて前記製品の生産量を算定する生産量算定段階とを有することを特徴とする。
【００１６】
前記発売後の製品に関する市場情報は、一部の販売店かつ第１の期間における前記製品の販売実績情報を含んでもよい。
【００１７】
前記需要予測段階は、前記類似製品または類似製品群の販売実績情報を取得する段階と、前記類似製品または類似製品群の前記販売実績情報に応じて、前記一部の販売店かつ第１の期間における前記製品の販売実績情報から全部の販売店かつ第１の期間より長い第２の期間における前記製品の需要予測を行う段階とを有してもよい。
【００１８】
前記類似製品または類似製品群の販売実績情報は、前記一部の販売店かつ第１の期間における前記類似製品または類似製品群の販売実績情報と、全部の販売店かつ第１の期間より長い第２の期間における前記類似製品または類似製品群の販売実績情報との関係を表す係数を含み、前記係数を用いて前記一部の販売店かつ第１の期間における前記製品の販売実績情報から全部の販売店かつ第１の期間より長い第２の期間における前記製品の需要予測を行ってもよい。
【００１９】
前記類似製品または類似製品群の需給実績情報は、前記類似製品または類似製品群の販売実績情報，在庫実績情報および出荷実績情報を含んでもよい。
【００２０】
前記需給調整情報作成段階は、前記類似製品または類似製品群の販売実績情報，在庫実績情報および出荷実績情報に応じて、前記需要予測結果に含まれる前記製品の販売予測値から前記製品の販売予測情報，在庫予測情報および出荷予測情報を前記需給調整情報として作成してもよい。
【００２１】
前記需給調整情報作成段階は、ユーザにより選択された前記類似製品または類似製品群の販売実績情報，在庫実績情報および出荷実績情報を取得して前記ユーザに提示する段階と、前記類似製品または類似製品群の販売実績情報，在庫実績情報および出荷実績情報をユーザからの指示により修正する段階と、前記類似製品または類似製品群の販売実績情報，在庫実績情報および出荷実績情報に応じて、前記需要予測結果に含まれる前記製品の販売予測値から前記製品の販売予測情報，在庫予測情報および出荷予測情報を前記需給調整情報として作成する段階とを有してもよい。
【００２２】
また、上記課題を解決するため、本発明は、製品の需要予測を行い、前記需要予測に応じて製品の生産量を算定する生産量算定装置であって、発売前の製品に関する市場情報を取得する市場情報取得手段と、前記製品に類似する類似製品または類似製品群の発売前の市場情報，発売後の販売実績情報および需給実績情報を格納する類似製品情報格納手段と、前記類似製品情報格納手段から前記類似製品または類似製品群の発売前の市場情報および発売後の販売実績情報を取得し、前記製品の発売前の市場情報，前記類似製品または類似製品群の発売前の市場情報および発売後の販売実績情報に応じて前記製品の需要予測を行う需要予測手段と、前記類似製品情報格納手段から前記類似製品または類似製品群の需給実績情報を取得し、前記製品の需要予測結果，前記類似製品または類似製品群の需給実績情報に応じて需給調整情報を作成する需給調整情報作成手段と、前記需給調整情報に応じて前記製品の生産量を算定する生産量算定手段とを有することを特徴とする。
【００２３】
また、上記課題を解決するため、本発明は、製品の需要予測を行い、前記需要予測に応じて製品の生産量を算定する生産量算定装置であって、発売後の製品に関する市場情報を取得する市場情報取得手段と、前記製品に類似する類似製品または類似製品群の販売実績情報および需給実績情報を格納する類似製品情報格納手段と、前記類似製品情報格納手段から前記類似製品または類似製品群の販売実績情報を取得し、前記製品の発売後の市場情報，前記類似製品または類似製品群の販売実績情報に応じて前記製品の需要予測を行う需要予測手段と、前記製品の需要予測結果，前記類似製品または類似製品群の需給実績情報に応じて需給調整情報を作成する需給調整情報作成手段と、前記需給調整情報に応じて前記製品の生産量を算定する生産量算定手段とを有することを特徴とする。
【００２４】
また、上記課題を解決するため、本発明は、１つ以上の販売店から製品に関する市場情報を収集する市場情報収集手段と、前記市場情報を用いて製品の需要予測を行い、前記需要予測に応じて製品の生産量を算定する生産量算定手段とを有する生産量算定システムであって、前記生産量算定手段は、発売前の製品に関する市場情報を前記市場情報収集手段から取得する市場情報取得手段と、前記製品に類似する類似製品または類似製品群の発売前の市場情報，発売後の販売実績情報および需給実績情報を格納する類似製品情報格納手段と、前記類似製品情報格納手段から前記類似製品または類似製品群の発売前の市場情報および発売後の販売実績情報を取得し、前記製品の発売前の市場情報，前記類似製品または類似製品群の発売前の市場情報および発売後の販売実績情報に応じて前記製品の需要予測を行う需要予測手段と、前記類似製品情報格納手段から前記類似製品または類似製品群の需給実績情報を取得し、前記製品の需要予測結果，前記類似製品または類似製品群の需給実績情報に応じて需給調整情報を作成する需給調整情報作成手段と、前記需給調整情報に応じて前記製品の生産量を算定する生産量算定手段とを有することを特徴とする。
【００２５】
また、上記課題を解決するため、本発明は、１つ以上の販売店から製品に関する市場情報を収集する市場情報収集手段と、前記市場情報を用いて製品の需要予測を行い、前記需要予測に応じて製品の生産量を算定する生産量算定手段とを有する生産量算定システムであって、前記生産量算定手段は、発売後の製品に関する市場情報を前記市場情報収集手段から取得する市場情報取得手段と、前記製品に類似する類似製品または類似製品群の販売実績情報および需給実績情報を格納する類似製品情報格納手段と、前記類似製品情報格納手段から前記類似製品または類似製品群の販売実績情報を取得し、前記製品の発売後の市場情報，前記類似製品または類似製品群の販売実績情報に応じて前記製品の需要予測を行う需要予測手段と、前記製品の需要予測結果，前記類似製品または類似製品群の需給実績情報に応じて需給調整情報を作成する需給調整情報作成手段と、前記需給調整情報に応じて前記製品の生産量を算定する生産量算定手段とを有することを特徴とする。
【００２６】
また、上記課題を解決するため、本発明は、コンピュータに、発売前の製品に関する市場情報を取得する市場情報取得手順と、前記製品に類似する類似製品または類似製品群の発売前の市場情報および発売後の販売実績情報を取得し、前記製品の発売前の市場情報，前記類似製品または類似製品群の発売前の市場情報および発売後の販売実績情報に応じて前記製品の需要予測を行う需要予測手順と、前記製品の需要予測結果，前記類似製品または類似製品群の需給実績情報に応じて需給調整情報を作成する需給調整情報作成手順と、前記需給調整情報に応じて前記製品の生産量を算定する生産量算定手順とを実行させるための生産量算定プログラムであることを特徴とする。
【００２７】
また、上記課題を解決するため、本発明は、コンピュータに、発売後の製品に関する市場情報を取得する市場情報取得手順と、前記製品に類似する類似製品または類似製品群の販売実績情報を取得し、前記製品の発売後の市場情報，前記類似製品または類似製品群の販売実績情報に応じて前記製品の需要予測を行う需要予測手順と、前記製品の需要予測結果，前記類似製品または類似製品群の需給実績情報に応じて需給調整情報を作成する需給調整情報作成手順と、前記需給調整情報に応じて前記製品の生産量を算定する生産量算定手順とを実行させるための生産量算定プログラムであることを特徴とする。
【００２８】
また、上記課題を解決するため、本発明は、コンピュータに、発売前の製品に関する市場情報を取得する市場情報取得手順と、前記製品に類似する類似製品または類似製品群の発売前の市場情報および発売後の販売実績情報を取得し、前記製品の発売前の市場情報，前記類似製品または類似製品群の発売前の市場情報および発売後の販売実績情報に応じて前記製品の需要予測を行う需要予測手順と、前記製品の需要予測結果，前記類似製品または類似製品群の需給実績情報に応じて需給調整情報を作成する需給調整情報作成手順と、前記需給調整情報に応じて前記製品の生産量を算定する生産量算定手順とを実行させるための生産量算定プログラムを記録したコンピュータ読み取り可能な記録媒体であることを特徴とする。
【００２９】
また、上記課題を解決するため、本発明は、コンピュータに、発売後の製品に関する市場情報を取得する市場情報取得手順と、前記製品に類似する類似製品または類似製品群の販売実績情報を取得し、前記製品の発売後の市場情報，前記類似製品または類似製品群の販売実績情報に応じて前記製品の需要予測を行う需要予測手順と、前記製品の需要予測結果，前記類似製品または類似製品群の需給実績情報に応じて需給調整情報を作成する需給調整情報作成手順と、前記需給調整情報に応じて前記製品の生産量を算定する生産量算定手順とを実行させるための生産量算定プログラムを記録したコンピュータ読み取り可能な記録媒体であることを特徴とする。
【００３０】
なお、生産量算定プログラムを記録したコンピュータ読み取り可能な記録媒体は、ＣＤ−ＲＯＭ、フレキシブルディスク、光磁気ディスク（ＭＯ）等の様に情報を光学的，電気的或いは磁気的に記録する記録媒体、ＲＯＭ、フラッシュメモリ等の様に情報を電気的に記録する半導体メモリ等、様々なタイプを用いることができる。
【００３１】
本発明によれば、製品発売前または製品発売後における製品の需要予測を容易かつ的確に行うことができ、その需要予測に応じた製品の生産量を容易かつ的確に算定することが可能である。
【００３２】
【発明の実施の形態】
次に、本発明の実施の形態について図面に基づいて説明する。
【００３３】
図１は、本発明の生産量算定システムの一実施例の構成図を示す。生産量算定システム１は、生産量算定装置１００と，ＰＯＳ（Ｐｏｉｎｔ　Ｏｆ　Ｓａｌｅｓ）等のデータ入力用サーバ２００と，データ入力用端末２０１ａ〜２０１ｎと，本社用端末３００と，工場用端末４００と，イントラネットなどのネットワーク２０２，５００とを有するように構成される。
【００３４】
データ入力用端末２０１ａ〜２０１ｎは１つ以上の販売店，メーカーの調査部門，メーカーからの委託を受けた調査会社またはメーカーの支社などに設置されており、発売前の製品（以下、発売前製品という）に関する市場情報（例えば、製品の予約実績情報，製品の評価情報など）または発売後の製品（以下、発売後製品という）に関する市場情報（例えば、製品の売上情報，店頭在庫情報など）を従業員の操作に応じて収集する。
【００３５】
データ入力用端末２０１ａ〜２０１ｎは、必要に応じてネットワーク２０２を介してデータ入力用サーバ２００に接続し、収集した市場情報を逐次又は所定時間毎にデータ入力用サーバ２００に送信する。なお、製品の評価情報はデータ入力用端末２０１ａ〜２０１ｎでの収集に限ることなく、紙ベースでの収集であってもよい。
【００３６】
データ入力用端末２０１ａ〜２０１ｎは全ての販売店に設置されるものではなく、全ての販売店の一部（例えば、２〜３％）に設置される。本実施例では、データ入力用端末２０１ａ〜２０１ｎが設置された販売店のうち、製品の需要予測に用いる市場情報を収集する販売店をサンプル店と呼ぶ。また、データ入力用端末２０１ａ〜２０１ｎが設置された販売店のうち、拡大推計に用いる市場情報を収集する販売店をパネル店と呼ぶ。なお、データ入力用端末２０１ａ〜２０１ｎが設置された販売店はサンプル店とパネル店とを兼ねてもよい。
【００３７】
データ入力用サーバ２００は、Ｐ０Ｓ端末２０１ａ〜２０１ｎから受信した市場情報を集計管理する。データ入力用サーバ２００は、ネットワーク５００を介して生産量算定装置１００に接続されており、集計管理している市場情報を生産量算定装置１００に送信する。なお、データ入力用サーバ２００と、データ入力用端末２０１ａ〜２０１ｎと，ネットワーク２０２とは、データ入力用システムを構成する。
【００３８】
本社用端末３００は、メーカーの本社に設置されている。本社用端末３００はネットワーク５００を介して生産量算定装置１００に接続されており、メーカー出荷情報やメーカー在庫情報などを生産量算定装置１００に送信する。また、本社用端末３００は業務に関わる情報（例えば、市場情報，生産計画情報など）をユーザからの指示に応じて生産量算定装置１００から取得し、その情報をユーザに閲覧させる。
【００３９】
工場用端末４００は１つ以上の工場に設置されており、ネットワーク５００を介して生産量算定装置１００に接続されている。工場用端末４００は業務に関わる情報（例えば、市場情報，生産計画情報，生産量など）をユーザからの指示に応じて生産量算定装置１００から取得し、その情報をユーザに閲覧させる。
【００４０】
生産量算定装置１００はネットワーク５００を介してデータ入力用サーバ２００，本社用端末３００，工場用端末４００に接続されている。生産量算定装置１００はデータ入力用サーバ２００から受信する市場情報，本社用端末３００から受信するメーカー出荷情報やメーカー在庫情報などを用いて発売前または発売後における製品の需要予測を行い、その需要予測に応じて製品の生産量を算定することで、生産計画の作成または修正を的確かつ容易に行うことができる。
【００４１】
また、生産量算定装置１００はデータ入力用サーバ２００から受信した市場情報，本社用端末３００から受信したメーカー出荷情報やメーカー在庫情報，需要予測情報，生産計画情報などを業務に関わる情報として管理し、その業務に関わる情報を本社用端末３００または工場用端末４００からの要求に応じて提供する。生産量算定装置１００は、業務に関わる情報を本社用端末３００と工場用端末４００との間で共有化するための処理を行う。
【００４２】
以下、本発明の生産量算定装置１００の詳細について更に説明していく。図２は、本発明の生産量算定装置の一実施例のハードウェア構成図を示す。
【００４３】
生産量算定装置１００は、それぞれバスＢで相互に接続されている入力装置１１と，表示装置１２と，ドライブ装置１３と，記録媒体１４と，補助記憶装置１５と，メモリ装置１６と，演算処理装置１７と，インターフェース装置１８と，データベース（以下、ＤＢという）１９とを有するように構成される。
【００４４】
入力装置１１はキーボード及びマウスなどで構成され、様々な操作指示を入力するために用いられる。表示装置１２は、操作に必要な各種ウインドウやデータ等を表示する。インターフェース装置１８は、ネットワーク５００に接続する為のインターフェースであり、例えばＬＡＮアダプタ，モデム（Ｍｏｄｅｍ）等で構成される。
【００４５】
ＤＢ１９は、本発明の生産量算定方法の処理に必要な各種情報（例えば、市場情報，需要予測情報，生産計画情報など）を管理する。なお、ＤＢサーバを別途設けて、ＤＢ１９に格納されている情報を管理させてもよい。
【００４６】
本発明の生産量算定プログラムは、ＣＤ−ＲＯＭ等の記録媒体１４によって提供される。生産量算定プログラムを記録した記録媒体１４は、ドライブ装置１３にセットされ、生産量算定プログラムが記録媒体１４からドライブ装置１３を介して補助記憶装置１５にインストールされる。
【００４７】
補助記憶装置１５は、インストールされた生産量算定プログラムを格納すると共に、生産量算定プログラムの処理に必要なファイルやデータ等を格納する。メモリ装置１６は、起動時に補助記憶装置１５から生産量算定プログラムを読み出して格納する。演算処理装置１７は、メモリ装置１６に格納された生産量算定プログラムに従って処理を実行する。
【００４８】
図３は、本発明の生産量算定装置の一実施例の機能構成図を示す。生産量算定装置１００は、発売前製品の需要予測パラメータ設定部１１０と，発売前製品の需要予測部１２０と，発売後製品の需要予測部１３０と，発売後製品の需要予測パラメータ設定部１４０と，需給調整情報作成部１５０と，需給調整パラメータ設定部１６０と，生産計画代替案作成部１７０と，需給調整情報共有化部１８０とを有するように構成される。
【００４９】
発売前製品の需要予測パラメータ設定部１１０は、過去に発売された製品（以下、参考品という）の発売前または発売後の市場情報を用いて、発売前製品の需要予測に必要なパラメータの策定業務を支援する。発売前製品の需要予測部１２０は、発売前製品に関する市場情報と、発売前製品の需要予測パラメータ設定部１１０が設定したパラメータとを用いて、発売前製品の需要予測（例えば、発売前製品の月間売上の予測など）を行う。
【００５０】
発売後製品の需要予測部１３０は、発売後製品に関する市場情報と、発売後製品の需要予測パラメータ設定部１４０が設定したパラメータとを用いて、発売後製品の需要予測（例えば、発売後製品の月間売上の予測など）を行う。発売後製品の需要予測パラメータ設定部１４０は、参考品の発売前または発売後の市場情報を用いて、発売後製品の需要予測に必要なパラメータの策定業務を支援する。
【００５１】
需給調整情報作成部１５０は、参考品の発売前または発売後の市場情報と，発売前製品の需要予測部１２０または発売後製品の需要予測部１３０が行った需要予測結果とを用いて、発売前製品または発売後製品の所定期間（例えば、３ヶ月など）の店頭売上予測値，店頭在庫予測値，メーカー出荷予測値などを算定する。
【００５２】
需給調整情報作成部１５０は、算定した店頭売上予測値，店頭在庫予測値，メーカー出荷予測値などに基づき、発売前製品または発売後製品のメーカー在庫適正値などを算定する。
【００５３】
需給調整パラメータ設定部１６０は、参考品の店頭売上実績値，店頭在庫実績値，メーカー在庫実績値，メーカー出荷実績値を用いて、発売前製品または発売後製品の所定期間の店頭売上予測値，店頭在庫予測値，メーカー在庫予測値，メーカー出荷予測値の算定に必要なパラメータの算定業務を支援する。
【００５４】
生産計画代替案作成部１７０は、需給調整情報作成部１５０が算定したメーカー在庫適正値と、メーカー在庫予測値との差（以下、在庫ギャップという）に基づき、在庫ギャップを解消できる生産計画の代替案を作成する。
【００５５】
需給調整情報共有化部１８０は、需給調整情報作成部１５０が算定した店頭売上予測値，店頭在庫予測値，メーカー出荷予測値，メーカー在庫適正値，メーカー在庫予測値などの需給調整情報と、生産計画代替案作成部１７０が作成した生産計画の代替案とをネットワーク５００上で共有化する。ネットワーク５００に接続可能な端末を有するメーカー，工場などの関連部門は、需給調整情報共有化部１８０により共有化された需給調整情報，生産計画の代替案などを容易に閲覧できる。
【００５６】
さらに、生産量算定装置１００を構成する各機能ブロックの処理について詳細に説明していく。図４は、発売前製品の需要予測パラメータ設定部および発売前製品の需要予測部の一実施例の機能構成図を示す。
【００５７】
発売前製品の需要予測パラメータ設定部１１０は、ユーザにより選択された参考品の発売前または発売後の市場情報を用いて、発売前製品の需要予測に必要なパラメータを設定する。例えばユーザにより選択される参考品は、発売前製品の類似製品または類似製品群（例えば、ブランドなど）である。発売前製品の需要予測パラメータ設定部１１０は、参考品の評価情報，予約実績情報および店頭売上実績値をユーザに確認させることで、参考品の選択を支援する。
【００５８】
発売前製品の需要予測部１２０は、評価情報に基づく店頭売上予測値算定部１２１と，予約実績情報に基づく店頭売上予測値算定部１２２と，加重平均処理部１２３とを有するように構成される。
【００５９】
評価情報に基づく店頭売上予測値算定部１２１は、例えばデータ入力用サーバ２００から発売前製品の評価情報を受信する。なお、発売前製品の評価情報は紙ベースで収集されたものであってもよい。発売前製品の評価情報は、例えば販売店，メーカーの調査部門，メーカーからの委託を受けた調査会社またはメーカーの支社でアンケートなどを利用して収集される。また、評価情報に基づく店頭売上予測値算定部１２１は発売前製品の需要予測パラメータ設定部１１０から発売前製品の需要予測に必要なパラメータを受信する。
【００６０】
なお、評価情報に基づく店頭売上予測値算定部１２１は既存品に対して内容の強化を行う改良品の場合と、それ以外の場合とで異なる需要予測処理を行う。
【００６１】
改良品の場合、評価情報に基づく店頭売上予測値算定部１２１は、以下の式（１）〜（４）を用いて評価情報に基づく店頭売上予測値を算定する。
【００６２】
Ｋ１＝Ａ÷Ｂ・・・・・（１）
Ｋ２＝（発売前製品の評価ポイント）÷Ｃ・・・・・（２）
Ｋ３＝Ｄ（定数）・・・・・（３）
Ｘ＝Ｅ×Ｋ１×Ｋ２×Ｋ３・・・・・（４）
なお、式（１）〜（４）では、評価情報に基づく店頭売上予測値をＸ，参考品の初月度店頭売上実績値をＡ，参考品の改良後１年間の店頭売上実績値をＢ，参考品の評価情報に応じた評価ポイントをＣ，スポットＰＲ係数をＤ，今回改良対象の既存品の直近１年間の店頭売上実績値をＥとしている。Ａ，Ｂ，ＣおよびＤは、発売前製品の需要予測に必要なパラメータとして発売前製品の需要予測パラメータ設定部１１０から受信する。
【００６３】
改良品以外の場合、評価情報に基づく店頭売上予測値算定部１２１は、以下の式（５）を用いて評価情報に基づく店頭売上予測値を算定する。
【００６４】
Ｘ＝Ｔ＋Ｓ×（発売前製品の評価ポイント）・・・・・（５）
なお、式（５）では、評価情報に基づく店頭売上予測値をＸ，参考品の評価情報に応じた評価ポイントと参考品の店頭売上実績値とによる回帰切片をＴ，参考品の評価情報に応じた評価ポイントと参考品の店頭売上実績値とによる回帰係数をＳとしている。Ｔ，Ｓは、発売前製品の需要予測に必要なパラメータとして発売前製品の需要予測パラメータ設定部１１０から受信する。また、発売前製品の評価ポイントは発売前製品の評価情報に応じた評価ポイントである。
【００６５】
予約実績情報に基づく店頭売上予測値算定部１２２は、例えばデータ入力用サーバ２００から発売前製品の予約実績情報を受信する。また、予約実績情報に基づく店頭売上予測値算定部１２２は発売前製品の需要予測パラメータ設定部１１０から発売前製品の需要予測に必要なパラメータを受信する。そして、予約実績情報に基づく店頭売上予測値算定部１２２は、以下の式（６），（７）を用いて予約実績情報に基づく店頭売上予測値を算定する。
【００６６】
Ｋ４＝Ａ÷Ｇ・・・・・（６）
Ｙ＝（発売前製品の所定期間内（例えば発売２０日前まで）の一店平均予約実績値）×Ｋ４・・・・・（７）
なお、式（６），（７）では、予約実績情報に基づく店頭売上予測値をＹ，参考品の所定期間内（例えば発売２０日前まで）の一店平均予約実績値をＧとしている。Ａ，Ｇは、発売前製品の需要予測に必要なパラメータとして発売前製品の需要予測パラメータ設定部１１０から受信する。
【００６７】
加重平均処理部１２３は、評価情報に基づく店頭売上予測値Ｘと予約実績情報に基づく店頭売上予測値Ｙとを受信し、その評価情報に基づく店頭売上予測値Ｘと予約実績情報に基づく店頭売上予測値Ｙとを以下の式（８）を用いて加重平均することで、発売前製品の需要予測を行う。具体的に、加重平均処理部１２３は式（８）を用いて発売前製品の店頭売上予測値を算定する。
【００６８】
Ｚ＝α×Ｘ＋β×Ｙ（α＋β＝１）・・・・・（８）
なお、式（８）では、発売前製品の店頭売上予測値をＺとしている。また、加重平均処理部１２３は、α，βを発売前製品の需要予測に必要なパラメータとして発売前製品の需要予測パラメータ設定部１１０から受信する。加重平均処理部１２３は、式（８）を用いて需要予測した店頭売上予測値Ｚを需給調整情報作成部１５０に送信する。
【００６９】
このように、発売前製品の需要予測パラメータ設定部１１０および発売前製品の需要予測部１２０を用いることで、発売前製品の評価情報および予約実績情報から所定期間の全体売上予測値を容易かつ的確に算定することができる。
【００７０】
図５は、発売後製品の需要予測部および発売後製品の需要予測パラメータ設定部の一実施例の構成図を示す。
【００７１】
発売後製品の需要予測パラメータ設定部１４０は、ユーザにより選択された参考品の発売後の市場情報を用いて、発売後製品の需要予測に必要なパラメータを設定する。例えばユーザにより選択される参考品は、発売後製品の類似製品または類似製品群である。発売後製品の需要予測パラメータ設定部１４０は、参考品の店頭売上実績値に応じた発売５日後，１０日後，２０日後などの引き伸ばし係数，拡大係数をユーザに確認させることで、参考品の選択を支援する。
【００７２】
発売後製品の需要予測部１３０は、需要予測処理部１３１と，拡大推計処理部１３２とを有するように構成される。需要予測処理部１３１は、発売後製品の店頭売上実績値を例えばデータ入力用サーバ２００から受信する。また、需要予測処理部１３１は、発売後製品の需要予測パラメータ設定部１４０から需要予測処理に必要なパラメータを受信する。なお、発売後製品の店頭売上実績値はサンプル店全店における数日間の店頭売上実績値である。
【００７３】
そこで、需要予測処理部１３１は需要予測処理に必要なパラメータとして参考品の引き伸ばし係数を受信し、発売後製品の店頭売上実績値からサンプル店全店における所定期間（例えば、１ヶ月間）の店頭売上予測値を算定する。需要予測処理部１３１は、算定したサンプル店全店における所定期間の店頭売上予測値を拡大推計処理部１３２に送信する。
【００７４】
拡大推計処理部１３２は、需要予測処理部１３１からサンプル店全店における所定期間の店頭売上予測値を受信すると共に、発売後製品の需要予測パラメータ設定部１４０から拡大推計処理に必要なパラメータを受信する。
【００７５】
そこで、拡大推計処理部１３２は拡大推計処理に必要なパラメータとして参考品の拡大係数を受信し、サンプル店全店における所定期間の店頭売上実績値から全ての販売店（サンプル店およびパネル店以外の販売店を含む）における所定期間の全体売上予測値に拡大推定する。拡大推計処理部１３２は、拡大推定した全体売上予測値を需給調整情報作成部１５０に送信する。
【００７６】
このように、発売後製品の需要予測部１３０および発売後製品の需要予測パラメータ設定部１４０を用いることで、発売後製品の数日間の店頭売上実績値から所定期間の全体売上予測値を容易かつ的確に算定することができる。
【００７７】
なお、発売前製品の需要予測部１２０および発売後製品の需要予測部１３０は例えばデータ入力用サーバ２００から逐次又は所定時間毎に発売前製品，発売後製品または参考品に関する市場情報を受信し、全体売上予測値を更新する。また、発売前製品の需要予測パラメータ設定部１１０および発売後製品の需要予測パラメータ設定部１４０は、データ入力用サーバ２００から送信される発売前製品，発売後製品または参考品に関する市場情報に応じて、発売前製品または発売後製品の需要予測に必要なパラメータを逐次又は所定時間毎に更新する。
【００７８】
図６は、需給調整情報作成部および需給調整パラメータ設定部の一実施例の構成図を示す。需給調整パラメータ設定部１６０は、ユーザにより選択された参考品の店頭売上実績値，店頭在庫実績値，メーカー在庫実績値およびメーカー出荷実績値を用いて、発売前製品または発売後製品の所定期間の店頭売上予測処理，店頭在庫予測処理，メーカー出荷予測処理およびメーカー在庫予測処理に必要なパラメータを設定する。例えばユーザにより選択される参考品は、発売前製品または発売後製品の類似製品または類似製品群である。
【００７９】
需給調整パラメータ設定部１６０は、商品特性や商品カテゴリなどの検索キーを用いて発売前製品または発売後製品に類似する製品または製品群などをＤＢ１９から検索する検索機能をユーザに提供する。
【００８０】
図７は、参考品選択画面の一例のイメージ図を示す。図７の参考品選択画面では、シリーズ，美容法分類Ａ，美容法分類Ｂ，発売年月，製品コード，製品名を検索キーとして利用することができる。
【００８１】
検索キーに対応する製品または製品群が検索されると、需給調整パラメータ設定部１６０は検索された製品または製品群の店頭売上実績，店頭在庫実績，メーカー出荷実績の店頭売上実績に対する比率などの情報（以下、データセットという）を参考品選択画面の所定場所に表示する。ユーザは、参考品選択画面の所定場所に表示されたデータセットを参考にして製品または製品群から参考品を選択することができる。
【００８２】
需給調整パラメータ設定部１６０は、選択された参考品の店頭売上実績値，店頭在庫実績値，メーカー在庫実績値およびメーカー出荷実績値を用いて、発売前製品または発売後製品の所定期間の店頭売上予測処理，店頭在庫予測処理，メーカー出荷予測処理およびメーカー在庫予測処理に必要なパラメータを設定し、そのパラメータを需給調整情報作成部１５０に送信する。
【００８３】
需給調整情報作成部１５０は、店頭売上予測処理部１５１と，店頭在庫予測処理部１５２と，メーカー出荷予測処理部１５３と，メーカー在庫適正値算定部１５４と，メーカー在庫予測処理部１５５とを有するように構成される。
【００８４】
店頭売上予測処理部１５１は、発売前製品の需要予測部１２０または発売後製品の需要予測部１３０から所定期間の全体売上予測値を受信する。また、店頭売上予測処理部１５１は需給調整パラメータ設定部１６０から店頭売上予測処理に必要なパラメータとして参考品の店頭売上実績値を受信する。店頭売上予測処理部１５１は、参考品の店頭売上実績値の推移と所定期間の全体売上予測値とを用いて店頭売上予測を行う。
【００８５】
例えば、参考品の店頭売上実績値が図８（Ａ）のような月毎の店頭売上推移パターンである場合、店頭売上予測処理部１５１は図９（Ａ）のような月毎の店頭売上予測値を算定する。
【００８６】
図８（Ａ）の店頭売上推移パターンは、参考品の初月の店頭売上を１００％とした場合の次月以降の店頭売上を表すものである。また、図９（Ａ）の店頭売上予測値は初月の全体売上予測値を２０万個とした場合の次月以降の店頭売上予測値を表すものである。
【００８７】
店頭在庫予測処理部１５２は需給調整パラメータ設定部１６０から店頭在庫予測処理に必要なパラメータとして参考品の店頭在庫実績値を受信する。店頭在庫予測処理部１５２は、参考品の店頭在庫実績値の推移を用いて店頭在庫予測を行う。
【００８８】
例えば、参考品の店頭在庫実績値が図８（Ｂ）のような月毎の店頭在庫推移である場合、店頭在庫予測処理部１５２は図９（Ｂ）のような月毎の店頭在庫予測値を算定する。
【００８９】
メーカー出荷予測処理部１５３は、店頭売上予測処理部１５１と店頭在庫予測処理部１５２から所定期間の予測値を受信する。また、メーカー出荷予測処理部１５３は需給調整パラメータ設定部１６０からメーカー出荷予測処理に必要なパラメータとして参考品の所定期間の店頭売上実績値とメーカー出荷実績値を受信する。メーカー出荷予測処理部１５３は、所定期間全体のメーカー出荷予測値を、所定期間全体の店頭売上予測値に、所定期間後の店頭在庫予測値を加えた合計値と設定し、月毎のメーカー出荷予測値については、参考品のメーカー出荷の店頭売上実績に対する比率を用いてメーカー出荷予測を行う。
【００９０】
例えば、参考品のメーカー出荷実績値が図８（Ｃ）のような月毎のメーカー出荷の店頭売上実績に対する比率である場合、メーカー出荷予測処理部１５３は図９（Ｃ）のような月毎のメーカー出荷予測値を算定する。
【００９１】
メーカー在庫適正値算定部１５４は、メーカー出荷予測処理部１５３からメーカー出荷予測値を受信する。また、メーカー在庫適正値算定部１５４は需給調整パラメータ設定部１６０からメーカー在庫適正値の算定に必要なパラメータを受信する。メーカー在庫適正値算定部１５４は、メーカー出荷予測値とメーカー在庫適正値の算定に必要なパラメータとを用いてメーカー在庫適正値を算定する。
【００９２】
メーカー在庫予測処理部１５５は、店頭売上予測処理部１５１から所定期間の全体売上予測値を受信する。また、メーカー在庫予測処理部１５５は需給調整パラメータ設定部１６０からメーカー在庫予測処理に必要なパラメータとして生産計画値を受信する。メーカー在庫予測処理部１５５は、生産計画値とメーカー出荷予測値とを用いてメーカー在庫予測を行う。
【００９３】
このように、需給調整情報作成部１５０および需給調整パラメータ設定部１６０を用いることで、店頭売上予測値，店頭在庫予測値，メーカー出荷予測値，メーカー在庫適正値およびメーカー在庫予測値を容易かつ的確に算定することができる。
【００９４】
なお、ユーザは図１０のようなシミュレーション画面を利用して需給調整情報作成部１５０に対する指示を行うことができる。これは、需給調整パラメータ設定部１６０から受信したパラメータをユーザが適宜修正できるようにするためのものである。
【００９５】
図１０は、需給調整用画面の一例の構成図を示す。需給調整パラメータ設定部１６０からパラメータとして店頭売上推移パターンを受信すると、需給調整情報作成部１５０は受信した店頭売上推移パターンを需給調整用画面の欄６０３に表示する。
【００９６】
例えば発売前製品の需要予測部１２０または発売後製品の需要予測部１３０から所定期間の全体売上予測値を受信すると、店頭売上予測処理部１５１は欄６０１に全体売上予測値（例えば、７５００００個）を表示すると共に、欄６０３に表示された店頭売上推移パターンに応じて次月，次々月および３ヶ月の店頭売上予測値（例えば、次月１５００００個，次々月９８０００個，３ヶ月９９８０００個）を算定して欄６０２に表示する。
【００９７】
需給調整情報作成部１５０は、３ヶ月後の店頭在庫として、参考品の３ヶ月後の店頭在庫実績を、欄６０４に表示する。需給調整情報作成部１５０は、３ヶ月後のメーカー出荷を、３ヶ月間の店頭売上予測値に、３ヶ月後の店頭在庫予測値を加えた合計値として予測する。需給調整情報作成部１５０は、初月，次月，次々月の参考品のメーカー出荷の、店頭売上実績に対する比率から算定して、欄６０５に表示する。
【００９８】
発売後は、メーカー出荷の初月予測値を、メーカー出荷実績値と参考品のメーカー出荷実績に基づいた出荷パターンによるメーカー出荷予測値から求め直し、その際、次月以降のメーカー出荷予測値が、参考品のメーカー出荷の店頭売上実績に対する比率に照らしバランスを崩す場合、店頭売上推移パターンと３ヶ月後の店頭在庫予測値を適宜調整し、メーカー出荷予測値を変更できる。
【００９９】
したがって、ユーザは図１０の需給調整用画面を利用することで、需給調整情報の作成に必要なパラメータを適宜修正することができ、店頭売上予測値，店頭在庫予測値，メーカー出荷予測値を容易かつ的確に算定することができる。
【０１００】
図３の生産計画代替案作成部１７０は、需給調整情報作成部１５０からメーカー在庫適正値およびメーカー在庫予測値を受信して在庫ギャップを算定し、その在庫ギャップを解消するための必要生産量に応じた生産計画の代替案を作成する。生産計画代替案作成部１７０は、作成した生産計画の代替案をグラフ化してユーザに確認させることもできる。なお、生産計画の代替案と実際の生産計画とを置き換えは、予め定められた所定のルール（例えば、毎月１日，１５日など）に応じて行うことが望ましい。
【０１０１】
図３の需給調整情報共有化部１８０は、需給調整情報作成部１５０が算定した店頭売上予測値，店頭在庫予測値，メーカー出荷予測値，メーカー在庫適正値，メーカー在庫予測値などの需給調整情報，生産計画代替案作成部１７０が作成した生産計画の代替案などを受信し、受信した需給調整情報，生産計画代替案などをＤＢ１９に格納する。
【０１０２】
そして、需給調整情報共有化部１８０はＤＢ１９に格納した需給調整情報，生産計画代替案などを、ネットワーク５００に接続可能な端末を有するメーカー，工場などの関連部門で共有化するための処理を行う。
【０１０３】
例えば需給調整情報共有化部１８０は、ＤＢ１９に格納した需給調整情報，生産計画代替案などを図１１〜図１４のようにグラフ化し、ネットワーク５００に接続可能な端末を有するメーカー，工場などの関連部門に供給する。
【０１０４】
図１１は、店頭売上情報表示画面の一例のイメージ図を示す。図１２は、メーカー出荷情報表示画面の一例のイメージ図を示す。図１３は、メーカー在庫情報表示画面の一例のイメージ図を示す。また、図１４は生産情報表示画面の一例のイメージ図を示す。なお、図１１〜図１４のイメージ図は一例であって、これに限るものではない。
【０１０５】
したがって、ユーザはグラフ化された需給調整情報，生産計画代替案などを容易に閲覧することができるので、需給調整に関わる意志決定の迅速化を図ると共に、業務ノウハウの共有化及び業務教育の効率化を図ることが可能である。
【０１０６】
【発明の効果】
上述の如く、本発明によれば、製品発売前または製品発売後における製品の需要予測を容易かつ的確に行うことができ、その需要予測に応じた製品の生産量を容易かつ的確に算定することが可能である。
【０１０７】
【図面の簡単な説明】
【図１】本発明の生産量算定システムの一実施例の構成図である。
【図２】本発明の生産量算定装置の一実施例のハードウェア構成図である。
【図３】本発明の生産量算定装置の一実施例の機能構成図である。
【図４】発売前製品の需要予測パラメータ設定部および発売前製品の需要予測部の一実施例の機能構成図である。
【図５】発売後製品の需要予測部および発売後製品の需要予測パラメータ設定部の一実施例の構成図である。
【図６】需給調整情報作成部および需給調整パラメータ設定部の一実施例の構成図である。
【図７】参考品選択画面の一例のイメージ図である。
【図８】需給調整パラメータ設定部が設定するパラメータの一例について説明する図である。
【図９】パラメータに応じて算定される予測値の一例について説明する図である。
【図１０】需給調整用画面の一例の構成図である。
【図１１】店頭売上情報表示画面の一例のイメージ図である。
【図１２】メーカー出荷情報表示画面の一例のイメージ図である。
【図１３】メーカー在庫情報表示画面の一例のイメージ図である。
【図１４】生産情報表示画面の一例のイメージ図である。
【符号の説明】
１　　生産量算定システム
１１　　入力装置
１２　　表示装置
１３　　ドライブ装置
１４　　記録媒体
１５　　補助記憶装置
１６　　メモリ装置
１７　　演算処理装置
１８　　インターフェース装置
１９　　データベース（ＤＢ）
１００　　生産量算定装置
１１０　　発売前製品の需要予測パラメータ設定部
１２０　　発売前製品の需要予測部
１３０　　発売後製品の需要予測部
１４０　　発売後製品の需要予測パラメータ設定部
１５０　　需給調整情報作成部
１６０　　需給調整パラメータ設定部
１７０　　生産計画代替案作成部
１８０　　需給調整情報共有化部
２００　　データ入力用サーバ
２０１ａ〜２０１ｎ　　データ入力用端末
３００　　本社用端末
４００　　工場用端末
２０２，５００　　ネットワーク
Ｂ　　バス
【図１】
2004102357.tif 000003
【図２】
2004102357.tif 000004
【図３】
2004102357.tif 000005
【図４】
2004102357.tif 000006
【図５】
2004102357.tif 000007
【図６】
2004102357.tif 000008
【図７】
2004102357.tif 000009
【図８】
2004102357.tif 000010
【図９】
2004102357.tif 000011
【図１０】
2004102357.tif 000012
【図１１】
2004102357.tif 000013
【図１２】
2004102357.tif 000014
【図１３】
2004102357.tif 000015
【図１４】
2004102357.tif 000016